(57)【特許請求の範囲】
【請求項１】
（ａ）電線が接続されたコネクタのハウジングに取付けられ、前記電線のハウジングから延出する部分を覆うコネクタ用カバーであって、
（ｂ）相互に結合される複数の分割部を有し、
（ｃ）該分割部は、相互に結合された状態で、四つの平面状の壁と四つの角部とを備える四角筒状となるネック部を前記ハウジングと反対側の端部に備えるとともに、前記ネック部の四つの角部の各々に一つずつ形成された線状体挿通開口を備え、
（ｄ）前記電線を結束する結束用線状体は、各分割部の線状体挿通開口の少なくとも一つを通過するように取回され、前記結束用線状体の一部が前記ネック部の外周を通り、
（ｅ）前記結束用線状体によって、前記電線が固定されるとともに、前記分割部が相互に結合された状態でロックされることを特徴とするコネクタ用カバー。
【請求項２】
前記ハウジングは、係合部を前記コネクタ用カバー側の端部に備え、
前記分割部は、前記係合部と係合する取付部を前記ハウジング側の端部に備え、相互に結合された状態でロックされると、前記取付部が前記ハウジングの係合部と係合し、前記ハウジングから離脱不能となる請求項１に記載のコネクタ用カバー。
【請求項３】
前記分割部は、相互に同一の形状を備える一対の部材である請求項１に記載のコネクタ用カバー。
【請求項４】
前記分割部は、一端部が前記ハウジングの電線挿入開口の側縁にスライド可能に係合する請求項３に記載のコネクタ用カバー。
【請求項５】
（ａ）複数の端子を収容し、各端子に接続された電線が延出するハウジングを有し、
（ｂ）前記電線のハウジングから延出する部分を覆うコネクタ用カバーがハウジングに取付けられたコネクタであって、
（ｃ）前記コネクタ用カバーは、前記電線を結束する結束用線状体が通過する線状体挿通開口を備えるとともに相互に結合される複数の分割部を有し、
（ｄ）該分割部は、相互に結合された状態で、四つの平面状の壁と四つの角部とを備える四角筒状となるネック部を前記ハウジングと反対側の端部に備え、前記線状体挿通開口は、前記ネック部の四つの角部の各々に一つずつ形成され、
（ｅ）前記結束用線状体は、各分割部の線状体挿通開口の少なくとも一つを通過するように取回され、前記結束用線状体の一部が前記ネック部の外周を通り、
（ｆ）前記結束用線状体によって、前記電線が結束されて固定されるとともに、前記分割部が相互に結合された状態でロックされていることを特徴とするコネクタ。
【請求項６】
（ａ）前記ハウジングは、係合部を前記コネクタ用カバー側の端部に備え、
（ｂ）前記分割部は、前記係合部と係合する取付部を前記ハウジング側の端部に備える請求項５に記載のコネクタ。
【発明の詳細な説明】
【技術分野】
【０００１】
本発明は、コネクタ用カバーに関するものである。
【背景技術】
【０００２】
従来、自動車等において使用される電線用コネクタでは、雨水、洗浄水等が内部に進入することを防止するために、コネクタ本体に接続されて電線の付け根部分を覆うようなカバーが取付けられている（例えば、特許文献１参照。）。
【０００３】
図６は従来のコネクタ用カバーを示す図である。
【０００４】
図において、３０１は合成樹脂によって一体的に形成されたコネクタハウジングであり、背面に電線３０３の端部を挿入する円筒状の電線挿入開口３０２が形成されている。また、前記電線３０３の端部には、端子金具３０４が取付けられるとともに、該端子金具３０４の後方においてゴム栓３０５が取付けられている。そして、前記端子金具３０４がコネクタハウジング３０１内に配設されるように、背面から電線３０３の端部を電線挿入開口３０２に挿入すると、ゴム栓３０５が電線挿入開口３０２を密封して、雨水、洗浄水等がコネクタハウジング３０１内に進入することを防止する。さらに、電線挿入開口３０２の周囲にはカバー装着縁３０６が形成され、該カバー装着縁３０６にコネクタ用カバーが取付けられる。
【０００５】
ここで、該コネクタ用カバーは、合成樹脂によって形成された第１半割部３１１ａ及び第２半割部３１１ｂから成る。そして、前記第１半割部３１１ａ及び第２半割部３１１ｂのコネクタハウジング３０１と対向する開口縁には、前記カバー装着縁３０６を挟込む取付溝３１２が形成されている。また、該取付溝３１２と反対側には、電線３０３が通過する電線通過孔（こう）を形成する半円状の開口部３１６を備える。さらに、前記第１半割部３１１ａ及び第２半割部３１１ｂは、各々、相手側をロックするためのロック部材として、係止突起３１３と該係止突起３１３に係合する係止孔３１４が形成された係止腕３１５とを有する。
【０００６】
そして、コネクタハウジング３０１の背面から電線３０３の端部を電線挿入開口３０２に挿入し、端子金具３０４がコネクタハウジング３０１内の所定位置に取付けられた状態で、カバー装着縁３０６を両側から挟込むようにして第１半割部３１１ａ及び第２半割部３１１ｂを取付け、ロック部材によってロックすることにより、電線３０３のコネクタハウジング３０１への接続部分がコネクタ用カバーによって覆われた状態となる。なお、前記第１半割部３１１ａ及び第２半割部３１１ｂの内側には、弾性を備えるゴムから成る弾性保持部３１７が取付けられており、電線３０３は弾性保持部３１７の凹部３１８によって両側から挟込まれることにより保持される。
【特許文献１】特開平１１−６７３２９号公報
【発明の開示】
【発明が解決しようとする課題】
【０００７】
しかしながら、前記従来のコネクタ用カバーにおいては、第１半割部３１１ａ及び第２半割部３１１ｂがロック部材によって相互にロックされているので、点検等のためにコネクタ用カバーを取外す際に、ロック部材を破損してしまうことがある。また、電線３０３の数が多い場合、一本のケーブルとして取扱うことができるようにするために、通常、結束バンドを使用してすべての電線３０３を結束するようになっているが、コネクタハウジング３０１が二本の電線３０３を接続するためのものなので、前記コネクタ用カバーは、結束された電線３０３に対応しておらず、結束された電線３０３を適切に保持することができないものである。
【０００８】
本発明は、前記従来のコネクタ用カバーの問題点を解決して、複数の電線を結束する結束用線状体によって電線をコネクタ用カバーに取付けるとともに、コネクタ用カバーを構成する分割部同士をロックするようにして、部品点数が少なく、構成が簡素で、着脱を繰返しても破損することがなく、コストが低く、取扱いが容易なコネクタ用カバー及び該カバーを用いたコネクタを提供することを目的とする。
【課題を解決するための手段】
【０００９】
そのために、本発明のコネクタ用カバーにおいては、電線が接続されたコネクタのハウジングに取付けられ、前記電線のハウジングから延出する部分を覆うコネクタ用カバーであって、相互に結合される複数の分割部を有し、該分割部は、相互に結合された状態で、四つの平面状の壁と四つの角部とを備える四角筒状となるネック部を前記ハウジングと反対側の端部に備えるとともに、前記ネック部の四つの角部の各々に一つずつ形成された線状体挿通開口を備え、前記電線を結束する結束用線状体は、各分割部の線状体挿通開口の少なくとも一つを通過するように取回され、前記結束用線状体の一部が前記ネック部の外周を通り、前記結束用線状体によって、前記電線が固定されるとともに、前記分割部が相互に結合された状態でロックされる。
【００１０】
本発明の他のコネクタ用カバーにおいては、さらに、前記ハウジングは、係合部を前記コネクタ用カバー側の端部に備え、前記分割部は、前記係合部と係合する取付部を前記ハウジング側の端部に備え、相互に結合された状態でロックされると、前記取付部が前記ハウジングの係合部と係合し、前記ハウジングから離脱不能となる。
【００１４】
本発明の更に他のコネクタ用カバーにおいては、さらに、前記分割部は、相互に同一の形状を備える一対の部材である。
【００１５】
本発明の更に他のコネクタ用カバーにおいては、さらに、前記分割部は、一端部が前記ハウジングの電線挿入開口の側縁にスライド可能に係合する。
【００１６】
本発明のコネクタにおいては、複数の端子を収容し、各端子に接続された電線が延出するハウジングを有し、前記電線のハウジングから延出する部分を覆うコネクタ用カバーがハウジングに取付けられたコネクタであって、前記コネクタ用カバーは、前記電線を結束する結束用線状体が通過する線状体挿通開口を備えるとともに相互に結合される複数の分割部を有し、該分割部は、相互に結合された状態で、四つの平面状の壁と四つの角部とを備える四角筒状となるネック部を前記ハウジングと反対側の端部に備え、前記線状体挿通開口は、前記ネック部の四つの角部の各々に一つずつ形成され、前記結束用線状体は、各分割部の線状体挿通開口の少なくとも一つを通過するように取回され、前記結束用線状体の一部が前記ネック部の外周を通り、前記結束用線状体によって、前記電線が結束されて固定されるとともに、前記分割部が相互に結合された状態でロックされている。
【００１７】
本発明の他のコネクタにおいては、さらに、前記ハウジングは、係合部を前記コネクタ用カバー側の端部に備え、前記分割部は、前記係合部と係合する取付部を前記ハウジング側の端部に備える。
【発明の効果】
【００１８】
本発明によれば、コネクタ用カバー及び該カバーを用いたコネクタは、複数の電線を結束する結束用線状体によって電線をコネクタ用カバーに取付けるとともに、コネクタ用カバーを構成する分割部同士をロックするようになっている。そのため、部品点数が少なく、構成が簡素で、着脱を繰返しても破損することがなく、コストが低く、取扱いが容易である。
【発明を実施するための最良の形態】
【００１９】
以下、本発明の実施の形態について図面を参照しながら詳細に説明する。
【００２０】
図２は本発明の実施の形態におけるコネクタ用カバーの取付前の状態を示す斜視図、図３は本発明の実施の形態におけるコネクタ用カバーの半割部の三面図である。なお、図３において、（ａ）は上面図、（ｂ）は正面図、（ｃ）は側面図である。
【００２１】
図において、１０は本実施の形態におけるコネクタであり、複数の電線１５の端部が接続され、図示されない相手側の電線又は回路基板に接続された相手側コネクタと嵌（かん）合され、前記電線１５と相手側コネクタに接続された相手側の電線又は回路基板とを電気的に接続する。前記コネクタ１０は、例えば、トラック等の自動車のブレーキランプ等のランプ類と電源との接続に使用される防水コネクタであり、ワイヤハーネス等の相手側の電線に接続された相手側コネクタと嵌合されるものであるが、いかなる用途に使用されるものであってもよい。
【００２２】
そして、前記コネクタ１０は、合成樹脂等の絶縁性材料によって一体的に形成されたハウジング１３、及び、該ハウジング１３の内部に配設され、各電線１５の端部が接続される導電性金属から成る図示されない複数の端子を有する。前記コネクタ１０が図２に示されるような姿勢となっている場合、相手側コネクタと嵌合する嵌合面は下を向いており、該嵌合面と反対側において、ハウジング１３に形成された電線挿入開口１１が上を向いている。そして、雨水、洗浄水等がハウジング１３内に形成された図示されない防水シール部に直接かからないように、コネクタ１０に接続された電線１５のハウジング１３から延出する部分、すなわち、付け根部分を覆うようなコネクタ用カバーとしてのカバー部材２０がハウジング１３に取付けられる。前記カバー部材２０は、ハウジング１３と同様に、合成樹脂等の絶縁性材料によって形成されている。
【００２３】
なお、本実施の形態において、コネクタ１０、電線１５及びカバー部材２０の各部の構成及び動作を説明するために使用される上、下、左、右、前、後等の方向を示す表現は、絶対的なものでなく相対的なものであり、前記コネクタ１０、電線１５及びカバー部材２０の各部が図に示される姿勢である場合に適切であるが、その姿勢が変化した場合には姿勢の変化に応じて変更して解釈されるべきものである。
【００２４】
図２は、カバー部材２０がコネクタ１０のハウジング１３に取付けられる前の状態を示しており、カバー部材２０を構成する分割部としての第１半割部２１Ｒ及び第２半割部２１Ｌが左右に分離されている。ここで、第１半割部２１Ｒ及び第２半割部２１Ｌは、相互に同一の形状を有する一対の部材であり、図２に示されるように、相互に向い合せの状態として結合される。なお、第１半割部２１Ｒ及び第２半割部２１Ｌを統合的に説明する場合には、半割部２１として説明する。
【００２５】
図に示される例において、電線挿入開口１１は略矩（く）形の形状を備え、該電線挿入開口１１の互いに対向する一対の側縁に沿って、半割部２１を取付けるための係合部としての取付リブ１２が、ハウジング１３の側壁から外方へ突出するように形成されている。なお、前記取付リブ１２は、矢印で示される半割部２１の移動方向に関して、複数個に分断されるように形成されているが、連続して一体的に形成されていてもよい。
【００２６】
一方、半割部２１の下端には、図３に示されるように、前記電線挿入開口１１の相互に対向する一対の側縁及び取付リブ１２にスライド可能に係合する取付部としての取付溝２２が形成されている。該取付溝２２は、半割部２１がコネクタ１０のハウジング１３に取付けられた状態において、取付リブ１２と結合して、半割部２１が図２おける上方に変位してハウジング１３から離脱してしまうことを防止する。
【００２７】
また、前記半割部２１は、中心線２９に関して左右対称な形状となるように一体的に形成され、相手方の半割部２１と結合するための結合平面２８には、結合用突起２７ａ及び結合用凹部２７ｂが配設されている。そして、一対の半割部２１が、図２に示されるように、相互に向い合せの状態として結合されると、前記結合用突起２７ａは相手方の半割部２１の結合用凹部２７ｂに嵌入され、前記結合用凹部２７ｂには相手方の半割部２１の結合用突起２７ａが嵌入される。そのため、一対の半割部２１は、結合用突起２７ａ及び結合用凹部２７ｂによって互いに位置合せされた状態で結合され、カバー部材２０を正確に構成することができる。なお、前記結合用突起２７ａ及び結合用凹部２７ｂが相互に中心線２９に関して左右対称となるように配設されているので、半割部２１は、厳密な意味では左右対称でない。しかし、結合用突起２７ａ及び結合用凹部２７ｂが左右対称となるように配設されていることによって、相互に同一の形状を有する一対の半割部２１を向い合せの状態として結合することが可能となる。
【００２８】
そして、一対の半割部２１を結合したカバー部材２０は、上下が開放した筒状の形状を有し、内部を電線１５が通過する。また、前記カバー部材２０の下側開口２１ａは、ハウジング１３の電線挿入開口１１に対応した略矩形の形状を備え、下側開口２１ａの内周が電線挿入開口１１の外周を密に取囲むようになっている。これにより、雨水、洗浄水等がハウジング１３内に形成された図示されない防水シール部に直接かからないようになっている。
【００２９】
また、半割部２１は、本体の上端部に形成されたネック部２５を有する。該ネック部２５は、本体よりも横方向（図３（ｂ）における左右方向）の寸法が小さくなるように形成されている。これにより、ネック部２５の上端によって形成されるカバー部材２０の上側開口２５ａは、前記下側開口２１ａよりも小さな面積を備えるものとなっている。すなわち、上側開口２５ａは下側開口２１ａよりも絞られている。これにより、雨水、洗浄水等がハウジング１３内に形成された図示されない防水シール部に直接かからないようになっている。なお、上側開口２５ａも、下側開口２１ａと同様に、略矩形の形状を備える。そのため、前記ネック部２５は略四角筒状の形状を備える。
【００３０】
本実施の形態において、前記ネック部２５には、後述される結束用バンド３０を通過させることが可能な線状体挿通開口としてのバンド孔２６が形成されている。図に示される例において、該バンド孔２６は、ネック部２５の各角部に一つずつ形成され、各半割部２１に二つずつ、カバー部材２０全体で四つ形成されている。なお、前記バンド孔２６の数及び形成される部位は、適宜決定することができるものであり、各半割部２１に一つ以上形成されていれば、いくつであっても、どの部位に形成されていてもよい。また、バンド孔２６の形状は、図に示される例においては略矩形であるが、通過させる結束用バンド３０の断面形状等に応じて適宜変更することができる。
【００３１】
次に、前記カバー部材２０をコネクタ１０に取付ける動作について説明する。
【００３２】
図１は本発明の実施の形態におけるコネクタ用カバーを示す斜視図、図４は本発明の実施の形態におけるコネクタ用カバーの取付途中の状態を示す斜視図、図５は本発明の実施の形態におけるコネクタ用カバーへの結束用バンドの取付方法を示す図である。
【００３３】
ここでは、複数の電線１５は、あらかじめ、その端部が電線挿入開口１１を通過してハウジング１３内に挿入され、コネクタ１０の端子に接続されているものとする。そして、オペレータは、まず、手指等によって一対の半割部２１を保持し、図２に示されるように、コネクタ１０の両側に位置させる。この場合、両側の半割部２１の結合平面２８が相互に向き合い、取付溝２２の位置がハウジング１３の電線挿入開口１１の側縁及び取付リブ１２に対応する位置となるようにする。
【００３４】
続いて、両側の半割部２１を図２において矢印で示される方向に移動させる。この場合、取付溝２２内に電線挿入開口１１の側縁及び取付リブ１２が進入し、取付溝２２が電線挿入開口１１の側縁及び取付リブ１２に沿ってスライドするように、半割部２１を移動させる。そして、両側の半割部２１の結合平面２８同士を当接させ、結合用突起２７ａを相手方の半割部２１の結合用凹部２７ｂに嵌入させる。これにより、両側の半割部２１は、図４に示されるように、互いに位置合せされた状態で結合され、カバー部材２０を構成する。この場合、該カバー部材２０は、取付溝２２内に電線挿入開口１１の側縁及び取付リブ１２が進入し、かつ、取付リブ１２の下面と係合しているので、ハウジング１３に対して上方に変位することがなく、該ハウジング１３から離脱してしまうことがない。
【００３５】
図４に示される状態において、カバー部材２０は、ハウジング１３の電線挿入開口１１及びコネクタ１０に接続された電線１５の付け根部分を覆っている。また、電線１５は、カバー部材２０の上側開口２５ａを通過してカバー部材２０の内部から外部へ延在する。
【００３６】
続いて、オペレータは、手指等によって結束用線状体としての結束用バンド３０を操作し、該結束用バンド３０によって複数の電線１５を一本の束となるように結束するとともに、前記電線１５をカバー部材２０に固定する。この場合、結束用バンド３０が複数の電線１５の周囲及びネック部２５の一部を取囲むように結束用バンド３０を取回す。これにより、電線１５は、カバー部材２０に確実に固定される。
【００３７】
本実施の形態において、結束用バンド３０は、図１及び５に示されるように、柔軟性を備える合成樹脂等の材料から一体的に形成された帯状又は紐（ひも）状の部材であり、一端に頭部３１を有する。そして、結束用バンド３０の少なくとも一面には、結束用バンド３０の長手方向に直交する方向に延在する鋸（のこ）歯状の凸部が、前記長手方向に並列して複数形成されている。また、前記頭部３１には結束用バンド３０が挿入される挿通孔が形成され、さらに、該挿通孔内には前記凸部に係合するバンド止突起が形成されている。そして、電線１５を結束する場合、結束用バンド３０を電線１５の周りに巻付けた後、頭部３１と反対側の端部を挿通孔に通過させる。これにより、結束用バンド３０は、図５に示されるように、電線１５の周りを取囲むリングを形成する。そして、頭部３１と反対側の端部を頭部３１から離れる方向（図５における右方向）に移動させることによって、電線１５の周りを取囲むリングを収縮させ、電線１５を結束することができる。
【００３８】
また、結束用バンド３０に形成された鋸歯状の凸部と、頭部３１の挿通孔内に形成されたバンド止突起とは、ラチェット機構として機能するものであることが望ましい。すなわち、図５に示される状態において、結束用バンド３０の頭部３１と反対側の端部を頭部３１から離れる方向に移動させる際には、前記凸部とバンド止突起とが係合せず、前記反対側の端部を自由に移動させることができ、前記反対側の端部を頭部３１に接近する方向に移動させる際には、前記凸部とバンド止突起とが係合して、前記反対側の端部の移動を阻止するものであることが望ましい。これは、前記凸部の傾斜方向とバンド止突起の傾斜方向とを調整することによって達成することができる。これにより、電線１５の周りを取囲む結束用バンド３０のリングを収縮させることはできても、該リングを拡大させることが不可能となるので、オペレータは容易に電線１５を緊縮的に結束することができ、かつ、電線１５の結束が弛（ゆる）むことがない。
【００３９】
ここで、オペレータは、電線１５をカバー部材２０に固定するために、ネック部２５のバンド孔２６を通過するように結束用バンド３０を取回す。この場合、図１及び５に示されるように、両側の半割部２１の各々に形成されたバンド孔２６を結束用バンド３０が通過するようにする。これにより、両側の半割部２１同士が結束用バンド３０によってロックされる。そのため、相互に結合された両側の半割部２１同士が離脱することがないので、カバー部材２０は分解してしまうことがない。
【００４０】
なお、図１及び５に示されるような結束用バンド３０の取回しの方法は、一例に過ぎないものであり、結束用バンド３０が複数の電線１５の周囲及びネック部２５の一部を取囲み、かつ、両側の半割部２１の各々に形成されたバンド孔２６の少なくとも一つずつを通過するのであれば、いかなるものであってもよい。
【００４１】
このように、本実施の形態において、カバー部材２０は、二つの半割部２１を有し、電線１５を結束する結束用バンド３０によって、前記電線１５が固定されるとともに、前記半割部２１が相互に結合された状態でロックされるようになっている。そのため、半割部２１同士をロックするための特別のロック機構が不要であり、カバー部材２０の構成を簡素化することができ、部品点数を少なくすることができる。また、特別のロック機構のような破損しやすい部材が不要なので、カバー部材２０の着脱を繰返しても破損することがなく、コストを低くすることができる。さらに、カバー部材２０を容易に取扱うことができる。
【００４２】
また、半割部２１は、相互に結合された状態でロックされると、図２に示される矢印と反対方向にスライドすることがない。そのため、ハウジング１３から離脱不能となる。また、カバー部材２０は、取付溝２２内に電線挿入開口１１の側縁及び取付リブ１２が進入し、かつ、取付溝２２が取付リブ１２と係合しているので、ハウジング１３に対して上方に変位することがなく、該ハウジング１３から離脱してしまうことがない。
【００４３】
さらに、半割部２１はバンド孔２６を備え、結束用バンド３０は、各半割部２１のバンド孔２６の少なくとも一つを通過するように取回される。そのため、半割部２１同士が結束用バンド３０によってロックされるので、カバー部材２０が分解してしまうことがない。
【００４４】
さらに、半割部２１は相互に同一の形状を備える一対の部材である。そのため、単一の部材を相互に向き合せることによってカバー部材２０を構成することができ、該カバー部材２０の構成を簡素化することができ、部品点数を少なくすることができる。また、単一の成形型を使用して半割部２１を成形することができ、カバー部材２０のコストを低くすることができる。
【００４５】
さらに、半割部２１は、一端部、すなわち、下端部がハウジング１３の電線挿入開口１１の側縁にスライド可能に係合する。そのため、カバー部材２０が電線挿入開口１１の外周を密に取囲むことができ、雨水、洗浄水等がハウジング１３内に形成された図示されない防水シール部に直接かからないようになっている。
【００４６】
なお、本実施の形態において説明した結束用バンド３０は結束用線状体の一例に過ぎないものであり、いかなる種類の線状体であっても結束用線状体として使用することができる。例えば、鋸歯状の凸部やバンド止突起を備えていない単なる帯状又は紐状の部材を結束用線状体として使用することもできるし、樹脂製でなくてもよく、金属製等の線状体を結束用線状体として使用することもできる。
【００４７】
また、同様に、半割部２１は分割部の一例に過ぎないものであり、分割部は、必ずしも半割部２１のようにカバー部材２０を二分割したものである必要はなく、三分割以上の多数に分割したものであってもよい。
【００４８】
さらに、本実施の形態においては、カバー部材２０をコネクタ１０に取付ける動作をオペレータが手作業によって行う場合についてのみ説明したが、前記動作をロボットハンド、マニピュレータ等の自動装置によって行うこともできる。
【００４９】
なお、本発明は前記実施の形態に限定されるものではなく、本発明の趣旨に基づいて種々変形させることが可能であり、それらを本発明の範囲から排除するものではない。
【図面の簡単な説明】
【００５０】
【図１】本発明の実施の形態におけるコネクタ用カバーを示す斜視図である。
【図２】本発明の実施の形態におけるコネクタ用カバーの取付前の状態を示す斜視図である。
【図３】本発明の実施の形態におけるコネクタ用カバーの半割部の三面図である。
【図４】本発明の実施の形態におけるコネクタ用カバーの取付途中の状態を示す斜視図である。
【図５】本発明の実施の形態におけるコネクタ用カバーへの結束用バンドの取付方法を示す図である。
【図６】従来のコネクタ用カバーを示す図である。
【符号の説明】
【００５１】
１０    コネクタ
１１、３０２    電線挿入開口
１２    取付リブ
１３    ハウジング
１５、３０３    電線
２０    カバー部材
２１    半割部
２１Ｌ、３１１ｂ    第２半割部
２１Ｒ、３１１ａ    第１半割部
２１ａ    下側開口
２２、３１２    取付溝
２５    ネック部
２５ａ    上側開口
２６    バンド孔
２７ａ    結合用突起
２７ｂ    結合用凹部
２８    結合平面
２９    中心線
３０    結束用バンド
３１    頭部
３０１    コネクタハウジング
３０４    端子金具
３０５    ゴム栓
３０６    カバー装着縁
３１３    係止突起
３１４    係止孔
３１５    係止腕
３１６    開口部
３１７    弾性保持部
３１８    凹部
【図１】
0004845520.tif 000002
【図２】
0004845520.tif 000003
【図３】
0004845520.tif 000004
【図４】
0004845520.tif 000005
【図５】
0004845520.tif 000006
【図６】
0004845520.tif 000007